(57)【要約】【課題】コンパクトに携帯することが可能であるとともに、使用の際には容易に長尺な箸にでき、しかも確実な剛性感をもって使用できる携帯箸を提供すること。【解決手段】一対の箸本体２のそれぞれを長手方向に２分割し、該２分割した間をヒンジ３にて連結するとともに、該２分割した箸本体２に筒状部材４を摺動自在に配設し、該筒状部材４によって上記ヒンジ３を覆い、２分割した箸本体２を直線状に維持させる構成とした。【選択図】        図１
2009160210.tif 000002
【特許請求の範囲】
【請求項１】
一対の箸本体のそれぞれを長手方向に２分割し、該２分割した間をヒンジにて連結するとともに、該２分割した箸本体に筒状部材を摺動自在に配設し、該筒状部材によって上記ヒンジを覆い、２分割した箸本体を直線状に維持させるように構成したことを特徴とする、携帯箸。
【請求項２】
上記筒状部材のスットパーを兼ねた箸本体の先端部をテーブル上から浮かせる箸置き用突起部を設けたことを特徴とする、請求項１に記載の携帯箸。
【請求項３】
上記筒状部材の少なくとも一方に磁気を持たせ、一対の箸本体がその磁気によって付くようにしたことを特徴とする、請求項１又は２に記載の携帯箸。
【請求項４】
上記ヒンジを介して折り畳まれた一対の箸本体を収納するケースを設けたことを特徴とする、請求項１〜３のいずれかに記載の携帯箸。
【発明の詳細な説明】
【技術分野】
【０００１】
本発明は、特にレストランや食堂にて飲食する際、即ち、外食の際に使用するのに適した使用者専用の携帯箸に関するものである。
【背景技術】
【０００２】
自宅等にて飲食をする際には、通常、自分専用の箸は指定されているので、自ら箸の衛生管理をするのは容易である。しかし、外出先のレストランや食堂にて飲食をする際には、箸の衛生管理は先方任せになり、心もとないものであった。このようなことから、通常レストランや食堂においては、割り箸が多用されているのが現状である。
【０００３】
しかし、レストランや食堂にて使用される割り箸は、間伐材等の廃材により作成されることが多いとはいえ、中には竹や質の高い素材を使用したものもあって、森林資源の無駄使いが皆無と言う訳ではない。また、宿命的とも言える１回限りの使用後にはゴミとして廃棄され、焼却処分がなされた場合には炭酸ガスの発生を招き、環境を汚染することは否定できないものであった。
【０００４】
そこで、衛生面及び環境保護の観点等から、携帯できる箸を持ち歩き、外食の際にも自ら持参した箸を使用することが推奨させる。
ここで、現在、考案されている携帯箸としては、例えば特許文献１に開示されたような分割型の箸、或いは、特許文献２に開示されたような伸縮型の箸がある。
【０００５】
【特許文献１】特開平１１−２５３２９４号公報
【特許文献２】特開２００６−２７１９５４号公報
【発明の開示】
【発明が解決しようとする課題】
【０００６】
しかしながら、分割型の箸にあっては、長手方向に２分割された箸を、使用時においてはその都度ねじ込み或いは差し込み等の連結手段によって組立てる必要があり、その組立て作業が煩雑なものであった。また、組立て前にあっては、長手方向に２分割されていることから確かに長さ的には短くなり、携帯し易いものとはなるが、一膳の一対の箸が４部材からなるため、落下や紛失のおそれは高くなり、取扱い及び保管に慎重さを要求されるものとなっていた。
【０００７】
また、伸縮型の箸にあっては、望遠鏡、釣り竿等の如く、中空の筒状部内に引出し可能に先端部側を収納する構造のものであるが、中空内部の清掃は困難であり、衛生面において課題を有するものであった。また、引出し時における係合は収納の容易性を考慮してさほど強固にできず、使用時における剛性が一般的に低いものであった。
【０００８】
本発明は、上述した現在散見される携帯箸が有する課題に鑑みなされたものであって、その目的は、コンパクトに携帯することが可能であるとともに、使用の際には容易に長尺な箸にでき、しかも確実な剛性感をもって使用できる携帯箸を提供することにある。
【課題を解決するための手段】
【０００９】
上記した目的を達成するため、請求項１の携帯箸は、一対の箸本体のそれぞれを長手方向に２分割し、該２分割した間をヒンジにて連結するとともに、該２分割した箸本体に筒状部材を摺動自在に配設し、該筒状部材によって上記ヒンジを覆い、２分割した箸本体を直線状に維持させる構成のものとした。
また、請求項２の携帯箸は、上記請求項１の携帯箸において、上記筒状部材のスットパーを兼ねた箸本体の先端部をテーブル上から浮かせる箸置き用突起部を設けた構成のものとした。
さらに、請求項３の携帯箸は、上記請求項１又は２の携帯箸において、上記筒状部材の少なくとも一方に磁気を持たせ、一対の箸本体がその磁気によって付くものとした。
さらに、請求項４の携帯箸は、上記請求項１〜３のいずれかの携帯箸において、上記ヒンジを介して折り畳まれた一対の箸本体を収納するケースを設けたものとした。
【発明の効果】
【００１０】
上記した請求項１の本発明によれば、ヒンジを介して折り畳むことによりコンパクトに携帯し得る箸となるとともに、長手方向に２分割された箸本体はあくまでヒンジにて連結されているため、取扱い及び保管が容易なものとなる。また、使用時においては、ヒンジを介して真っ直ぐに延ばし、筒状部材によって上記ヒンジを覆い、２分割した箸本体を直線状に維持させるので、剛性の高い長尺な箸を提供することができる。
また、上記した請求項２の本発明によれば、上記請求項１の発明の効果に加え、筒状部材の箸本体からの抜け落ちを防止できるとともに、箸本体を衛生的にテーブル上に置くことができる。
また、上記した請求項３の本発明によれば、上記請求項１又は２の発明の効果に加え、箸本体を軽く揃えて近づけるだけできちんと揃い、その後に僅かな振動を加えてもバラバラになることはないため、容易に一対の箸本体をテーブル上にきれいに並べて置くことができる。
さらに、上記した請求項４の本発明によれば、上記請求項１〜３の発明の効果に加え、箸本体を衛生的に携帯することができる。
【発明を実施するための最良の形態】
【００１１】
以下、上記した本発明に係る携帯箸を、図面に示した実施の形態に基づいて詳細に説明する。なお、図１は、本発明に係る携帯箸を折り畳んだ状態、或いは折り畳む途中の状態を示した斜視図、図２は、図１に示した携帯箸の使用時の状態を示した斜視図である。また、図３は、本発明に係る携帯箸の要部を拡大して示した部分拡大断面図である。また、図４は、本発明に係る携帯箸の携帯時における収納状態を示した断面図である。
【００１２】
図示した本発明に係る携帯箸１は、柄の部分が断面四角形で、先端にいくに従い断面円形となり、且つ細くなっているそれぞれの箸本体２を、長手方向中央付近で２分割して柄の部分２ａと先端部分２ｂとし、該２分割した柄の部分２ａと先端部分２ｂとの間を、ヒンジ３にて連結した構造のものである。
【００１３】
上記箸本体２の材質は特には限定されないが、手触り、また熱が伝わり難いこと、更には加工の容易性等から、全体を木（竹を含む）或いは合成樹脂で形成し、必要に応じて漆などによる表面塗装を施したものとしてもよい。また、柄の部分２ａと先端部分２ｂとを異なる材質により形成することとし、柄の部分２ａは熱が伝わり難く、手触りのよい木（竹を含む）或いは合成樹脂で形成し、先端部分２ｂは傷が付き難く、しかも衛生的に保つことが容易なステンレス、アルミニウム等の金属により形成したものとしてもよい。
【００１４】
上記２分割したそれぞれの箸本体２には、筒状部材４が摺動自在に配設され、該筒状部材４の配設位置によって、図１に示したように２分割した箸本体２を折り畳める状態としたり、図２に示したように２分割した箸本体２を直線状に維持する構造となっている。
【００１５】
即ち、上記筒状部材４が、図３（ａ）に示したように２分割した箸本体２の先端部分２ｂ側のみに配設されている場合には、ヒンジ３を介して２分割した箸本体２は折り畳め、携帯に便利な短い状態となる。この際、筒状部材４は、箸本体２の先端部分２ｂに設けられた箸置き用突起部５に当接し、その抜け落ちが防止される。なお、箸置き用突起部５は、箸本体２と一体に形成したものでも、別体を接着等により付けたものでもよい。
【００１６】
一方、図３（ｂ）に示したように箸本体２をヒンジ３を介して真っ直ぐに延ばし、筒状部材４を箸本体２の柄の部分２ａ側に摺動させ、筒状部材４が、図３（ｃ）に示したように２分割した箸本体２の柄の部分２ａと先端部分２ｂとの両者を連結する状態に配設された場合には、箸本体２はもはやヒンジ３を介して折り曲げることはできず、直線状に維持され、長尺な箸として使用できる状態となる。この際、筒状部材４は、徐々に太くなる柄の部分２ａとの間の摩擦抵抗によりその位置に保持されるとともに、本実施の形態では、箸本体２の柄の部分２ａに設けられた係合凸部６に筒状部材４に設けられた係合凹部７が係合し、筒状部材４がその位置に確実に保持される構造となっている。
【００１７】
また、この実施の形態においては、上記箸本体２に配設された筒状部材４に磁気が付与され、一対の箸本体２が該磁気により付き、容易に一対の箸本体２をテーブル上にきれいに並べて置くことができるものとなっている。なお、磁気は一対の箸本体２の少なくとも一方の筒状部材４に付与されていればよく、その場合には、他方の筒状部材４は磁石の付く強磁性体金属により構成すればよい。
【００１８】
また、この実施の形態においては、箸本体２の先端部分２ｂには、挟んだ食物等を滑り落ちにくくするための凹凸８が形成されている。この凹凸８は、凹溝でも、凸条でも、さらにはサンドペーパをかけたり、サンドブラストを吹き付けたりして、表面をザラザラにしたものであってもよい。
【００１９】
さらに、この実施の形態に係る携帯箸１においては、図４に示したように、上記ヒンジ３を介して折り畳まれた一対の箸本体２を収納するケース１０を有している。このケース１０は、本体１０ａと蓋体１０ｂとから構成され、折り畳まれた一対の箸本体２を収納するのに必要最小限の大きさに形成され、内部におけるガタ付きを減らし、携帯時におけるガタ付き音が生じ難いものに構成されている。
【００２０】
以上、本発明に係る携帯箸の実施の形態を説明したが、本発明は、何ら既述の実施の形態に限定されず、特許請求の範囲に記載した本発明の技術的思想の範囲内において、種々の変形及び変更が可能であることは当然である。
例えば、上記実施の形態においては、柄の部分２ａが断面四角形の箸本体２につき説明したが、当然断面円形の箸本体としてもよい。この場合には、筒状部材４も円筒形状のものとなり、箸本体上で回転させることが可能となることから、上記係合構造はネジ構造としてもよい。
【図面の簡単な説明】
【００２１】
【図１】本発明に係る携帯箸を折り畳んだ状態、或いは折り畳む途中の状態を示した斜視図である。
【図２】本発明に係る携帯箸の使用時の状態を示した斜視図である。
【図３】本発明に係る携帯箸の要部を拡大して示した部分拡大断面図である。
【図４】本発明に係る携帯箸の携帯時における収納状態を示した断面図である。
【符号の説明】
【００２２】
１      携帯箸
２      箸本体
２ａ    柄の部分
２ｂ    先端部分
３      ヒンジ
４      筒状部材
５      箸置き用突起部
６      係合凸部
７      係合凹部
８      凹凸
１０    ケース
１０ａ  本体
１０ｂ  蓋体
【図１】
2009160210.tif 000003
【図２】
2009160210.tif 000004
【図３】
2009160210.tif 000005
【図４】
2009160210.tif 000006